(57)【要約】【課題】希望の地点および希望の地点の周辺地域に対応する番組を録画することが可能となる情報処理装置を提供する。【解決手段】地図情報提供ＷＷＷサーバ５３から受信した地図データ上で指定された指定範囲に対応するポイント情報を地域情報提供サーバ５５から読み出し、読み出されたポイント情報を用いて番組情報に対してキーワード検索を行い、キーワード検索に一致した番組を選出し、選出された番組の録画予約を行う。【選択図】      図２
2008312152.tif 000002
【特許請求の範囲】
【請求項１】
地図データと、前記地図データに含まれる位置情報に対応する名称情報と、番組情報とを記憶する記憶部と、
前記記憶部から地図データを読み出して表示する表示部と、
前記表示部に表示された地図データ上で所定の位置を特定する手段と、
前記特定された位置に対応する位置情報に基づいて名称情報を前記記憶部から読み出す手段と、
前記読み出された名称情報を用いて前記番組情報に対してキーワード検索を行い、前記キーワード検索に一致した番組を選出し、選出された番組の録画予約を行う手段と、
を具備することを特徴とする情報処理装置。
【請求項２】
請求項１に記載の情報処理装置において、
前記番組情報は、番組の放送予定を示す番組表であり、この番組表から前記選出された番組の録画予約を行うことを特徴とする情報処理装置。
【請求項３】
請求項１に記載の情報処理装置において、
前記番組情報は、録画された番組データのリストであり、この番組データのリストから前記選出された番組の再生を行うことを特徴とする情報処理装置。
【請求項４】
請求項１に記載の情報処理装置において、
前記名称情報は、テキスト情報あることを特徴とする情報処理装置。
【請求項５】
請求項１に記載の情報処理装置において、
前記地図データ上に所定の位置が特定された場合、特定された位置から所定の距離を設定し、設定された領域内に対応する名称情報を前記記憶部から読み出すことを特徴とする情報処理装置。
【請求項６】
地図データと、前記地図データに含まれる位置情報に対応する名称情報と、番組情報とを記憶部に記憶し、
前記記憶部から地図データを読み出して表示し、
前記表示された地図データ上で所定の位置を特定し、
前記特定された位置に対応する位置情報に基づいて名称情報を前記記憶部から読み出し、
前記読み出された名称情報を用いて前記番組情報に対してキーワード検索を行い、前記キーワード検索に一致した番組を選出し、選出された番組の録画予約を行うことを特徴とする制御方法。
【請求項７】
請求項６に記載の制御方法において、
前記番組情報は、番組の放送予定を示す番組表であり、この番組表から前記選出された番組の録画予約を行うことを特徴とする制御方法。
【請求項８】
請求項６に記載の制御方法において、
前記番組情報は、録画された番組データのリストであり、この番組データのリストから前記選出された番組の再生を行うことを特徴とする制御方法。
【請求項９】
請求項６に記載の制御方法において、
前記名称情報は、テキスト情報であることを特徴とする制御方法。
【請求項１０】
請求項６に記載の制御方法において、
前記地図データ上に所定の位置が特定された場合、特定された位置から所定の距離を設定し、設定された領域内に対応する名称情報を前記記憶部から読み出すことを特徴とする制御方法。
【発明の詳細な説明】
【技術分野】
【０００１】
本発明はパーソナルコンピュータのような情報処理装置に関し、特にＴＶ番組録画機能を有する情報処理装置および情報処理装置の制御方法に関する。
【背景技術】
【０００２】
一般的に、テレビ番組をパソコンやＨＤＤレコーダ等で録画する際、ユーザは、ＥＰＧを用いた番組録画予約機能や、特定キーワードに基づく番組自動録画機能を用いる。そして、自分が興味を持っている地域に関する旅行関連番組などを録画予約する場合には、上述した「旅行」や地名等の特定キーワードを設定する。しかし、「旅行」のキーワードであると、所望の場所以外の番組も録画される。また、地名のキーワードであると、当該地名の周辺の地域等は録画されない。このように、所望の番組を効果的に録画することは難しい。
【０００３】
また、例えば、特許文献１に開示されているような現在地に対応した番組情報を得る技術が開示されている。当該技術を番組録画に用いれば、現在地に対応した番組情報を録画することができる。
【特許文献１】特開２０００−１０６６０５号
【発明の開示】
【発明が解決しようとする課題】
【０００４】
しかしながら、上述した特許文献１の技術であると、任意の地点および任意の地点の周辺地域を録画予約することができないという課題がある。
【０００５】
本発明は上述の事情を考慮してなされたものであり、希望の地点および希望の地点の周辺地域に対応する番組を録画することが可能となる情報処理装置を提供することを目的とする。
【課題を解決するための手段】
【０００６】
上記目的を達成するために、本発明の一態様によれば、地図データと、前記地図データに含まれる位置情報に対応する名称情報と、番組情報とを記憶する記憶部と、前記記憶部から地図データを読み出して表示する表示部と、前記表示部に表示された地図データ上で所定の位置を特定する手段と、前記特定された位置に対応する位置情報に基づいて名称情報を前記記憶部から読み出す手段と、前記読み出された名称情報を用いて前記番組情報に対してキーワード検索を行い、前記キーワード検索に一致した番組を選出し、選出された番組の録画予約を行う手段とを具備することを特徴とする情報処理装置が提供される。
【０００７】
また、地図データと、前記地図データに含まれる位置情報に対応する名称情報と、番組情報とを記憶部に記憶し、前記記憶部から地図データを読み出して表示し、前記表示された地図データ上で所定の位置を特定し、前記特定された位置に対応する位置情報に基づいて名称情報を前記記憶部から読み出し、前記読み出された名称情報を用いて前記番組情報に対してキーワード検索を行い、前記キーワード検索に一致した番組を選出し、選出された番組の録画予約を行うことを特徴とする制御方法が提供される。
【発明の効果】
【０００８】
本発明によれば、ＴＶ録画を行う場合に、希望の地点および希望の地点の周辺地域に対応する番組を容易に録画することが可能となる。
【発明を実施するための最良の形態】
【０００９】
以下、図面を参照して、本発明の実施形態を説明する。  
まず、図１および図２を参照して、本発明の一実施形態に係る情報処理装置の構成について説明する。この情報処理装置は、例えば、ＴＶ視聴／録画機能を備えたノートブック型パーソナルコンピュータ１０として実現されている。
【００１０】
図１は、コンピュータ１０を用いた録画予約システムについて示した模式図である。当該システムは、コンピュータ１０と、コンピュータ１０が接続可能なインターネット（Internet）５０と、インターネット５１に接続されているＥＰＧ（Electronic Program Guide）サーバ５１およびＥＰＧサーバ５１と接続されたＥＰＧ情報ＤＢ（データベース）５２と、インターネット５１に接続されている地図情報提供ＷＷＷサーバ５３および地図情報提供ＷＷＷサーバ５３と接続された地図情報ＤＢ（データベース）５４と、インターネット５１に接続されている地域情報提供サーバ５５および地域情報提供サーバ５５と接続された地域情報ＤＢ（データベース）５６とから構成される。なお、ＥＰＧ情報は、インターネット５０を経由してダウンロードする。または、放送波を用いて受信することもできる。
【００１１】
ＥＰＧサーバ５１は、番組情報を配信するサーバである。ＥＰＧ情報ＤＢ５２は、番組情報を格納するためのＤＢである。地図情報提供ＷＷＷサーバ５３は、Web API（Application Program Interface）を公開して地図情報を提供するサーバである。地図情報ＤＢ５４は、地図情報を格納するためのＤＢである。地域情報提供サーバ５５は、また、地名や地域、名所等のポイント情報と、ポイント情報に対応する位置情報等を提供する。地域情報ＤＢ５６は、ポイント情報等を格納するためのＤＢである。代表的な観光地の緯度／経度情報等の一覧も含まれる。
【００１２】
次に、図２を参照して、本コンピュータ１０のシステム構成について説明する。
【００１３】
本コンピュータ１０は、図２に示されているように、ＣＰＵ１１１、ノースブリッジ１１２、主メモリ１１３、サウスブリッジ１１５、グラフィクスコントローラ１１４、ＢＩＯＳ−ＲＯＭ１１８、ネットワークコントローラ１１７、ハードディスクドライブ（ＨＤＤ）１１６、エンベデッドコントローラ／キーボードコントローラＩＣ（ＥＣ／ＫＢＣ）１１９、インターネット接続部２０、電源回路１２０、およびＴＶ視聴・録画部４００等を備えている。
【００１４】
ＣＰＵ１１１は本コンピュータ１０の動作を制御するプロセッサであり、ハードディスクドライブ（ＨＤＤ）１１６から主メモリ１１３にロードされる、オペレーティングシステム、および各種アプリケーション等を実行する。また、ＣＰＵ１１１は、ＢＩＯＳ−ＲＯＭ１１８に格納されたＢＩＯＳ（Basic Input Output System）も実行する。ＢＩＯＳはハードウェア制御のためのプログラムである。
【００１５】
ノースブリッジ１１２はＣＰＵ１１１のローカルバスとサウスブリッジ１１５との間を接続するブリッジデバイスである。ノースブリッジ１１２には、主メモリ１１３をアクセス制御するメモリコントローラも内蔵されている。また、ノースブリッジ１１２は、ＰＣＩ  ＥＸＰＲＥＳＳ規格のシリアルバスなどを介してグラフィックスコントローラ１１４との通信を実行する機能も有している。
【００１６】
グラフィックスコントローラ１１４は本コンピュータ１０のディスプレイモニタとして使用されるＬＣＤ１７を制御する表示コントローラである。このグラフィックスコントローラ１１４によって生成される表示信号はＬＣＤ１７に送られる。
【００１７】
サウスブリッジ１１５は、ＬＰＣ（Low Pin Count）バス上の各デバイス、およびＰＣＩ（Peripheral Component Interconnect）バス上の各デバイスを制御する。また、サウスブリッジ１１５は、ＨＤＤ１１６を制御するためのＩＤＥ（Integrated Drive Electronics）コントローラを内蔵している。
【００１８】
エンベデッドコントローラ／キーボードコントローラＩＣ（ＥＣ／ＫＢＣ）１１９は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１１９は、ユーザによるパワーボタン１４の操作に応じて本コンピュータ１０をパワーオン／パワーオフする機能を有している。
【００１９】
インターネット接続部２０は、ＥＰＧサーバ５１から番組情報を受信したり、地図情報提供ＷＷＷサーバ５３から地図情報を受信する。また、地域情報提供サーバ５５から地域情報であるポイント情報等を受信する。
【００２０】
ＴＶ視聴・録画部４００は、放送波やインターネット５０等を介してＴＶ番組を受信、視聴したり、番組の録画を行う。また、録画された番組データの再生を行う。
【００２１】
次に、図３のフローチャートを参照して、本発明の実施形態に係る情報処理装置を適用した制御方法について説明する。
【００２２】
まず、コンピュータ１０の番組録画予約の機能を呼び出す。コンピュータ１０のＴＶ視聴・録画部４００は、ＴＶ録画予約の設定を「地図上での指定による番組予約方法」とする（ステップＳ１０１）。次に、コンピュータ１０は、インターネット接続部２０およびインターネット５０を介して、ＥＰＧサーバ５１から番組情報を受信し、ＨＤＤ１１６等に記憶する。また、コンピュータ１０は、インターネット接続部２０およびインターネット５０を介して、地図情報提供ＷＷＷサーバ５３からＷｅｂ  ＡＰＩを利用して地図情報を受信し、例えば図４に示すように表示する（ステップＳ１０２）。なお、表示された地図データは、拡大縮小等の処理を行うことができる。表示された地図データ上で、所定のある地点がクリックされると（ステップＳ１０３）、地図情報提供ＷＷＷサーバ５３からＷｅｂ  ＡＰＩを利用してクリックされた所定のある場所に対応する地域情報（ポイント情報：名称情報）を受信、取得する（ステップＳ１０４）。表示された地図データには、図４に示すように、クリックされた地点から、所定の距離を設定する設定ボックス１００が備えられている。例えば、設定ボックス１００に「２０」を入力すると、クリックされた地点１０１から半径２０ｋｍの領域（エリア）（以後、指定範囲（位置情報）１０２と称する）に対応する地域情報を受信、取得する（ステップＳ１０５）。
【００２３】
地域情報（ポイント情報）は、予め作成されて地域情報ＤＢ５６に格納されている。例えば図５に示すように、ポイント情報を「箱根」、緯度３５°１４’、経度１３９°０３’、半径情報１５（ｋｍ）としてテーブルを作成する。すなわち、緯度３５°１４’、経度１３９°０３’から半径１５ｋｍの領域（ポイント情報の設定領域）であれば、「箱根」に該当すると判別される。同様に、ポイント情報を「小田原」、緯度３５°２０’、経度１３９°１５’、半径情報１０（ｋｍ）、ポイント情報を「熱海」、緯度３５°１０’、経度１３９°１５’、半径情報５（ｋｍ）としてテーブルを作成する。
【００２４】
これらのポイント情報の設定領域が、上述した指定範囲１０２内に一部でも含まれていれば、該当するポイント情報を取得する。
【００２５】
例えば、指定範囲１０２内に含まれている領域に該当するポイント情報（テキスト情報）が、「箱根」および「熱海」であった場合は、「箱根」および「熱海」をキーワードとして、受信した番組情報（ＥＰＧデータ）内をキーワード検索を行う。受信した番組情報内に「箱根」および「熱海」に該当する番組があった場合は、該当する番組を録画予約対象として登録する（ステップＳ１０６）。
【００２６】
なお、上述した実施形態のように、地図データから番組予約が行われた場合は、自動録画する対象ジャンルを、「バラエティ番組」というジャンル内のトラベル番組およびドキュメンタリー番組に限定するなどに限定することもできる。
【００２７】
以上、本発明を用いることにより、ユーザは、自動録画予約機能での煩雑なキーワード指定を行うことが不要になる。すなわち、画面に表示された地図上で、興味がある地域を指定するだけで、自分が興味を持っている地域関する番組を効果的に録画できる。
【００２８】
また、変形例として、上述した実施形態では、番組情報に対してキーワード検索を行っているが、録画された録画データ（番組情報）リストからキーワード検索を行ってもよい。録画データリストからキーワード検索を行うことにより、大量の録画された番組データの中から所望の番組データを見つけ出し、再生することができる。なお、録画データは、録画を行ったコンピュータ１０内に記憶されているもの以外にも、ホームネットワークのようなネットワークを介して視聴できる場所に記憶されている録画データでもよい。
【００２９】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００３０】
【図１】本発明の一実施形態に係るコンピュータを含むシステムの概観を示す模式図。
【図２】本発明の一実施形態に係るコンピュータのシステム構成の例を示すブロック図。
【図３】本発明の一実施形態に係る制御方法を説明したフローチャート。
【図４】地図データの一例を示した模式図。
【図５】地域情報のテーブルデータの一例を示した模式図。
【符号の説明】
【００３１】
１０…コンピュータ、２０…インターネット接続部、１００…設定ボックス、１０１…クリックされた地点、１０２…指定範囲、１１１…ＣＰＵ、１１３…主メモリ、４００…ＴＶ視聴・録画部
【図１】
2008312152.tif 000003
【図２】
2008312152.tif 000004
【図３】
2008312152.tif 000005
【図４】
2008312152.tif 000006
【図５】
2008312152.tif 000007